(57)【要約】【課題】  ユーザに対する支持力の均一化を図ったキルト敷寝具を提供すること。【解決手段】  表側生地１と裏側生地２からなる袋体の内部を複数の空間４に区画し、各空間４に中綿材５を充填してなるキルト敷寝具において、表側生地１の丈寸法及び／又は幅寸法を裏側生地２よりも長尺とし、波打たせた表側生地１と略平坦状の裏側生地２を接合して、表面側を膨らませて裏面側をほぼ平らにした。【選択図】図１
2006218084.tif 000002
【特許請求の範囲】
【請求項１】
表側生地と裏側生地からなる袋体の内部を複数の空間に区画し、各空間に中綿材を充填してなるキルト敷寝具において、
表側生地の丈寸法及び／又は幅寸法を裏側生地よりも長尺とし、波打たせた表側生地と略平坦状の裏側生地を接合して、表面側を膨らませて裏面側をほぼ平らにしたことを特徴とするキルト敷寝具。
【請求項２】
表面側の断面を連接する複数の略半円弧状に膨らませたことを特徴とする請求項１に記載のキルト敷寝具。
【発明の詳細な説明】
【技術分野】
【０００１】
本発明は、表側生地と裏側生地からなる袋体の内部を複数の空間に区画し、各空間に中綿材を充填した、例えばキルト敷布団やキルト敷パッドなどのキルト敷寝具に関するものである。
【背景技術】
【０００２】
従来のキルト敷寝具は、ほぼ同じ大きさの一対の側生地からなる袋体の内部を複数の空間に区画し、各空間に羽毛や羊毛等の中綿材を充填してある。キルト敷寝具の内部空間は、一対の側生地を直接的に又はマチテープを介して間接的に接合して区画される。一対の側生地を直接的に接合したものを直接キルトといい、マチテープを介して間接的に接合したものを立体キルトという。
【０００３】
【特許文献１】特開平１０−１４６２５６号公報
【特許文献２】特開２００２−２６２９６４号公報
【発明の開示】
【発明が解決しようとする課題】
【０００４】
従来のキルト敷寝具は、複数の内部空間の各々で、表裏両面がほぼ対称的に膨らんだ形状とされる。しかし、このような形状では、ユーザの身体を均一に支えることができない。詳しくは、各内部空間の中心位置に相当する最大厚み部位は、ユーザの身体と床面（ベッドの土台やマットレスの上面を含む。以下、同じ。）に挟まれて最も大きく圧縮されるのに対し、内部空間どうしの境界位置に相当する最小厚み部位は、床面から浮いた状態になるため、ほとんど圧縮されない。このため、ユーザは、キルト敷寝具の最大厚み部位及びその周辺部にて部分的に支持され、最小厚み部位及びその周辺部ではほとんど支持されない。
【０００５】
本発明は、斯かる実情に鑑み創案されたものであって、その目的は、ユーザに対する支持力の均一化を図り、ユーザの身体を効率よく支持できるキルト敷寝具を提供することにある。
【課題を解決するための手段】
【０００６】
本発明に係るキルト敷寝具は、表側生地と裏側生地からなる袋体の内部を複数の空間に区画し、各空間に中綿材を充填してなるキルト敷寝具において、表側生地の丈寸法及び／又は幅寸法を裏側生地よりも長尺とし、波打たせた表側生地と略平坦状の裏側生地を接合して、表面側を膨らませて裏面側をほぼ平らにしたことを特徴としている。
【０００７】
上記のキルト敷寝具は、表面側を膨らませて裏面側をほぼ平らにしてあるので、ユーザの体圧が負荷されたときに、表面側が大きく圧縮変形する一方、裏面側はそのほぼ全面が床面に接触してほとんど変形しない。このように、圧縮変形を表面側に偏らせると、従来のキルト敷寝具のように表裏両面がほぼ対称的に圧縮変形する場合に比べて、表面側の圧縮変形が大きくなり、ユーザに対する接触面積が広くなる。これにより、表面側がユーザの身体にフィットして、最大厚み部位と最小厚み部位とでユーザに対する支持力の格差が減少するので、ユーザに対して部分的に大きな支持力が負荷されず、ユーザの身体が効率よく支持される。
【発明の効果】
【０００８】
本発明は前述の如く、裏面側の圧縮変形を抑えて表面側の圧縮変形を助長しているので、ユーザに対する接触面積が広くなり、ユーザの支持力のばらつきを抑えてユーザを効率よく支持することができる。
【発明を実施するための最良の形態】
【０００９】
以下、図面を参照しつつ本発明に係るキルト敷寝具の一実施形態について説明する。
【００１０】
図１（Ａ）は本発明に係るキルト敷寝具の一実施形態を例示する平面図で、同図（Ｂ）は（Ａ）図のＸ−Ｘ線断面図で、同図（Ｃ）は（Ａ）図のＹ−Ｙ線断面図である。この実施形態のキルト敷寝具は、表側生地１と裏側生地２からなる袋体の内部を立体キルト３ａ及び直接キルト３ｂにより複数の空間４に区画し、各空間４に中綿材５を充填してある。立体キルト３ａは、マチテープ３ａ１を介して表側生地１と裏側生地２を間接的に接合した部位であって、この実施形態では幅方向に所定の間隔を隔てて設けてある。直接キルト３ｂは、表側生地１と裏側生地２の周縁部を除く領域にて表側生地１と裏側生地２をミシン叩き縫いにより直接的に縫い合わせた部位であって、この実施形態では丈方向に三分割した３つの領域のうち中央の領域に丈方向に所定の間隔を隔てて設けてある。したがって、この実施形態のキルト敷寝具は、丈方向に三分割した３つの領域のうち両端の領域に立体キルト３ａにより区画された丈方向に細長い空間４が形成され、丈方向に三分割した３つの領域のうち中央の領域に立体キルト３ａ及び直接キルト３ｂにより区画された平面視で略正方形状の空間４が形成される。
【００１１】
一方、表側生地１は、丈方向及び幅寸法を裏側生地２よりも長尺とされ、丈方向及び幅方向に波打たせた状態で、略平坦状の裏側生地２と接合される。この実施形態では、（Ｂ）図のように、裏側生地２の幅寸法ａに対して、表側生地１の幅寸法をほぼπａとし、表側生地１を幅方向に略ｎ等分して、半径ｒ（ｒ≒ａ／２ｎ）の半円筒をｎ個連接させて波打たせてある。また、（Ｃ）図のように、表側生地１の丈方向に三分割した３つの領域のうち中央の領域は、半径ｒの半円筒をｍ個連接させて波打たせてある。
【００１２】
なお、（Ｃ）図ではマチテープ３ａ１が直接キルト３ｂの形成部位で分断された状態を示しているが、マチテープ３ａ１は、キルト敷寝具の丈寸法とほぼ同じ長さの部材である。この実施形態では、丈方向に三分割してその中央の領域の上下を複数の凸円弧状に形成すると共に両端の領域をほぼストレート状に形成したマチテープ３ａ１を使用している。マチテープ３ａ１の凸円弧形状は、下側よりも上側が大きく突出した形状とされる。
【００１３】
この実施形態のキルト敷寝具は、まず、マチテープ３ａ１を介して表側生地１及び裏側生地２の各々の幅方向略ｎ等分位置を端から順に接合される。表側生地１をマチテープ３ａ１の上側に縫い合わせることにより、表側生地１の丈方向中央の領域がマチテープ３ａ１の上側半円弧形状に合せて波打つ。次いで、表側生地１及び裏側生地２の周縁部のうち綿入れ口６を除く他の部位を縫い合わせ、綿入れ口６から中綿材５が充填される。そして、綿入れ口６を閉塞すると共に、ミシン叩き縫いにより直接キルト３ｂを形成することで完成品となる。
【００１４】
上記のキルト敷寝具は、図２（Ａ）の矢印ａのように、ユーザの体圧が負荷されると、表面側が大きく圧縮変形する一方、裏面側はそのほぼ全面が床面に接触してほとんど変形しない。これに対し、同図（Ｂ）に示す従来のキルト敷寝具は、表裏両面がほぼ対称的に圧縮変形する。上記のキルト敷寝具は、従来のキルト敷寝具に比べて表面側の圧縮率が大きくなり、ユーザに対する接触面積が広くなる。これにより、表面側がユーザの身体にフィットして、ユーザの体圧に対する反力が分散するので、ユーザに対して局所的に大きな反力が負荷されず、反力の大きさのばらつきが抑えられる。
【００１５】
以上、本発明に係るキルト敷寝具の一実施形態につき説明したが、本発明は上記実施形態に限定されることなく種々の変形が可能である。例えば、上記実施形態では、立体キルト３ａ及び直接キルト３ｂにより内部を複数の空間４に区画しているが、本発明は、立体キルト３ａ又は直接キルト３ｂのいずれか一方のみによって内部を複数の空間４に区画したものにも適用できる。
【００１６】
また、上記実施形態では、表側生地１の丈寸法及び幅寸法を裏側生地２よりも長尺にしてあるが、表側生地１を丈方向又は幅方向のいずれか一方にのみ波打たせる場合には、丈寸法又は幅寸法のいずれか一方のみを裏側生地２よりも長尺にすることができる。但し、この場合は、裏側生地２の丈方向又は幅方向のいずれか一方向における両端部が平坦状にならず、当該両端部におけるキルト敷寝具の表裏両面がほぼ対称的な凸曲面状になる。
【００１７】
また、上記実施形態では、表側生地１及び裏側生地２の幅方向ｎ等分位置に一枚のマチテープ３ａ１を介装してあるが、表側生地１及び裏側生地２の幅方向ｎ等分位置にそれぞれマチテープ３ａ１を一枚ずつ縫い合わせ、マチテープ３ａ１どうしの接合により、表側生地１及び裏側生地２を接合するようにしても構わない。
【００１８】
また、上記実施形態では、表側生地１及び裏側生地２として別体に構成されたものを使用しているが、一枚の側生地を折り返してその表面側を表側生地１、裏面側を裏側生地２としても構わない。さらに、表側生地１及び裏側生地２はそれぞれ複数枚の側生地を継足して構成してあっても構わない。
【図面の簡単な説明】
【００１９】
【図１】（Ａ）図は本発明に係るキルト敷寝具の一実施形態を示す平面図で、（Ｂ）図は（Ａ）図のＸ−Ｘ線拡大断面図で、（Ｃ）図は（Ａ）図のＹ−Ｙ線拡大断面図である。
【図２】（Ａ）図は本発明を適用したキルト敷寝具に荷重をかけた状態を例示する概略断面図で、（Ｂ）図は従来のキルト敷寝具に荷重をかけた状態を例示する概略断面図である。
【符号の説明】
【００２０】
１     表側生地
２     裏側生地
３     マチテープ
４     空間
５     中綿材
６     綿入れ口
【図１】
2006218084.tif 000003
【図２】
2006218084.tif 000004